(57)【要約】【課題】光ファイバ心線の接続処理の前に実行される光ファイバ心線の被覆除去処理、裸ファイバの切断処理等の光ファイバ前処理において、それぞれ１本づつの光ファイバ心線を挟んで固定する２個の光ファイバ固定治具を備えて、２本の光ファイバ心線に所定の処理を同時に実行する光ファイバ前処理器および光ファイバ処理方法を提供する。【解決手段】光ファイバホルダ１１（図中の１１ａおよび１１ｂ）は、蓋１５（図中の１５ａおよび１５ｂ）をすることにより、光ファイバ心線１３（図中の１３ａおよび１３ｂ）を挟んで固定する。ここで、光ファイバ心線先端部１４（図中の１４ａおよび１４ｂ）を出すようにする。２個の光ファイバホルダ１１ａおよび光ファイバホルダ１１ｂは、光ファイバ心線１３ａと光ファイバ心線１３ｂとの間の距離が最小となるように配置される。【選択図】　図１
2004021048.tif 000002
【特許請求の範囲】
【請求項１】
２個の光ファイバ固定治具にそれぞれ１本づつ挟まれて固定されている２本の光ファイバ心線を互いに平行とし、かつ、２本の前記光ファイバ心線の間の距離が最小となるように２個の前記光ファイバ固定治具を固定する固定治具固定部を備えていることを特徴とする、光ファイバ接続処理の前処理に使用する光ファイバ前処理器。
【請求項２】
前記光ファイバ固定治具に挟まれている前記光ファイバ心線が、単心光ファイバであることを特徴とする、請求項１に記載の光ファイバ前処理器。
【請求項３】
２個の光ファイバ固定治具にそれぞれ１本づつ挟まれて固定されている２本の光ファイバ心線を互いに平行とし、かつ、２本の前記光ファイバ心線の間の距離が最小となるように２個の前記光ファイバ固定治具を固定する第１の固定治具固定部、または、１個の前記光ファイバ固定治具を固定する第２の固定治具固定部のどちらか一方を光ファイバ素線の本数に基づいて、備えていることを特徴とする、光ファイバ接続処理の前処理に使用する光ファイバ前処理器。
【請求項４】
前記光ファイバ接続処理の前処理が前記光ファイバ心線の被覆を除去する処理であることを特徴とする、請求項１から３のいずれか１項に記載の光ファイバ前処理器。
【請求項５】
前記光ファイバ接続処理の前処理が前記光ファイバ心線を被覆除去した裸ファイバを切断する処理であることを特徴とする請求項１から３のいずれか１項に記載の光ファイバ前処理器。
【請求項６】
２個の光ファイバ固定治具にそれぞれ１本づつ挟まれて固定されている２本の光ファイバ心線を互いに平行とし、かつ、２本の前記光ファイバ心線の間の距離が最小となるように２個の前記光ファイバ固定治具を固定し、２本の前記光ファイバ心線の被覆を除去する処理または裸ファイバを切断する処理を、同時に実行する光ファイバ前処理方法。
【発明の詳細な説明】
【０００１】
【発明の属する技術分野】
本発明は、光ファイバ前処理器および光ファイバ前処理方法に関する。特に、光ファイバ心線の融着接続処理、光ファイバ心線のコネクタ付け処理等の光ファイバ心線の接続処理の前に実行される光ファイバ心線の被覆除去処理、裸ファイバの切断処理等の光ファイバ前処理に利用する光ファイバ前処理器および光ファイバ前処理方法に関する。
【０００２】
【従来の技術】
光ファイバの融着接続、光ファイバのコネクタ付け等の光ファイバの接続処理を実行する場合は、予め、光ファイバ心線の被覆を除去し、洗浄した後、被覆除去された裸ファイバを切断する必要がある。そのため、光ファイバ心線の被覆を除去する工具、裸ファイバを切断する工具等が現在市販されている。
【０００３】
例えば、光ファイバを融着接続する場合は、接続すべき２本の光ファイバ心線の被覆をそれぞれ除去し、洗浄し、切断した後、これら２本の裸ファイバの端部を互いに接続する。従って、光ファイバの融着接続のような光ファイバの接続処理を実行する場合は、予め、光ファイバ心線の被覆除去処理、裸ファイバの切断処理等の光ファイバ前処理を２本の光ファイバ心線に実行する必要がある。
【０００４】
また、光ファイバの前処理作業を迅速かつ効率よく実行し、更に簡単かつ確実に実行できることが望まれている。そのため、光ファイバ心線の取り扱いが簡単かつ確実に実行できるように、光ファイバ固定治具（以下、「光ファイバホルダ」という）に光ファイバ心線を挟み、光ファイバ心線を挟んだ光ファイバホルダを光ファイバ前処理器に連設して、光ファイバの前処理作業を実行する。例えば、光ファイバ心線を挟んだ光ファイバホルダを光ファイバ被覆除去器（光ファイバストリッパ）、光ファイバ切断器（光ファイバカッタ）等に連設して、光ファイバ心線の被覆除去処理、裸ファイバの切断処理等を実行する。
【０００５】
図５は、現在市販されている光ファイバストリッパの一例を示す平面図であり、図６は、現在市販されている光ファイバカッタの一例を示す平面図である。図５に示すように、光ファイバストリッパ５０は、光ファイバ心線５２を１本挟んで固定する光ファイバホルダ５１、および光ファイバホルダ５１を固定するホルダ固定部５６を備えている。また、光ファイバストリッパ５０は、光ファイバ心線５２の被覆を除去するための被覆除去刃５３および光ファイバ心線５２を暖めるためのヒーター５４を備えている。
【０００６】
光ファイバストリッパ５０の蓋５５をヒンジ５８を介して回転して閉めることにより、被覆除去刃５３が光ファイバ心線５２の被覆を挟み、被覆に傷を入れる。次に、ホルダ固定部５６を被覆除去刃５３から離れるように矢印５７の方向へ引くことにより、光ファイバ心線５２の被覆を除去して裸ファイバ部６６を露出させる。
【０００７】
また、図６に示すように、光ファイバスカッタ６０は、光ファイバ心線６２を１本挟んで固定する光ファイバホルダ６１、および光ファイバホルダ６１を固定するホルダ固定部６５を備えている。また、光ファイバ心線６２の裸ファイバ部６６を押さえる押さえ部材６３ａおよび押さえ部材６３ｂ、並びに、光ファイバ心線６２の裸ファイバ部６６を切断する刃６４を備えている。
【０００８】
裸ファイバ部６６を横断するように、矢印６７の方向へ刃６４をスライドさせ、裸ファイバ部６６に一定量の傷を付ける。更に、図面の表側から裏側の方向へ、裸ファイバ部６６に荷重を加えて、裸ファイバ部６６の傷の部分を折る。
【０００９】
【発明が解決しようとする課題】
従って、図５および図６に示すように、現在利用されている光ファイバ前処理器に備えられている光ファイバホルダが１個であることから、１回の作業により光ファイバ心線の被覆除去処理、裸ファイバの切断処理等の光ファイバ前処理によって処理される光ファイバ心線の本数は、１本である。
【００１０】
そこで、１回の光ファイバの接続処理を実行するために、光ファイバ心線の被覆除去処理、裸ファイバの切断処理等の光ファイバ前処理を少なくとも２本の光ファイバ心線に実行しなければならないという問題があった。このように、１回の光ファイバの接続処理を実行するために、光ファイバ心線の被覆除去処理、裸ファイバの切断処理等の光ファイバ前処理を、２本の光ファイバ心線に実行しなければならないことから、光ファイバ前処理作業に時間がかかってしまうという問題点もあった。
【００１１】
また、１回の作業により複数本の光ファイバ心線に対して光ファイバ前処理を実行する場合、光ファイバ前処理器の所要部材の大きさ、例えば、光ファイバストリッパの被覆除去刃の大きさ、光ファイバカッタの光ファイバ押さえ部材の大きさ等を、全ての光ファイバ心線および光ファイバ心線に収容される全ての光ファイバ素線を横断する大きさ（以下、「光ファイバ前処理有効幅」という）以上にする必要があった。この場合、光ファイバカッタの光ファイバ押さえ部材は、ゴム材である場合が多いが、ゴム材の光ファイバ押さえ部材を大きくするとゴムがたわみ、光ファイバ心線をしっかりと把持することができないという問題点があった。
【００１２】
図７は、光ファイバ前処理器の所要部材の巾を示す平面図である。図７に示すように光ファイバ前処理器の所要部材（例えば、光ファイバストリッパの被覆除去刃、光ファイバカッタの光ファイバ押さえ部材）７２は、光ファイバホルダ７１に挟まれて固定される光ファイバ心線（例えば、単心光ファイバ７３、１２心光ファイバ７４、２４心光ファイバ７５）および光ファイバ心線に収容される全ての光ファイバ素線を横断できる巾である。
また、光ファイバ前処理器の所要部材の巾を光ファイバ前処理有効幅に合わせて大きくすると製造コストがかかってしまうという問題点もあった。
【００１３】
そこで、本発明は、以上のような問題点を解決するためになされたもので、光ファイバ心線の融着接続処理、光ファイバ心線のコネクタ付け処理等の光ファイバ心線の接続処理の前に実行される光ファイバ心線の被覆除去処理、裸ファイバの切断処理等の光ファイバ前処理において、それぞれ１本づつの光ファイバ心線を挟んで固定する２個の光ファイバ固定治具を備えて、２本の光ファイバ心線に所定の処理を同時に実行する光ファイバ前処理器および光ファイバ前処理方法を提供することを目的とする。
【００１４】
【課題を解決するための手段】
本発明者は、上述した従来の問題点を解決すべく研究を重ねた。その結果、２個の光ファイバホルダにそれぞれ１本づつ挟まれて固定されている２本の光ファイバ心線の間の距離が最小となるように、２個の光ファイバホルダを固定する固定治具固定部を光ファイバ前処理器に備えることにより、上記問題を解決できるとの着想を得た。
【００１５】
上記研究結果に基づき、以下の発明を提供する。
本発明の、光ファイバ前処理器の１つの態様は、２個の光ファイバ固定治具にそれぞれ１本づつ挟まれて固定されている２本の光ファイバ心線を互いに平行とし、かつ、２本の光ファイバ心線の間の距離が最小となるように２個の光ファイバ固定治具を固定する固定治具固定部を備えていることを特徴とする、光ファイバ接続処理の前処理に使用する光ファイバ前処理器である。
【００１６】
本発明の、光ファイバ前処理器の別の態様は、上述した光ファイバ固定治具に挟まれている光ファイバ心線が、単心光ファイバであることを特徴とする光ファイバ前処理器である。
【００１７】
本発明の、光ファイバ前処理器の別の態様は、２個の光ファイバ固定治具にそれぞれ１本づつ挟まれて固定されている２本の光ファイバ心線を互いに平行とし、かつ、２本の光ファイバ心線の間の距離が最小となるように２個の光ファイバ固定治具を固定する第１の固定治具固定部、または、１個の光ファイバ固定治具を固定する第２の固定治具固定部のどちらか一方を光ファイバ素線の本数に基づいて、備えていることを特徴とする、光ファイバ接続処理の前処理に使用する光ファイバ前処理器である。
【００１８】
本発明の、光ファイバ前処理器の別の態様は、光ファイバ接続処理の前処理が光ファイバ心線の被覆を除去する処理であることを特徴とする光ファイバ前処理器である。
【００１９】
本発明の、光ファイバ前処理器の別の態様は、光ファイバ接続処理の前処理が光ファイバ心線を被覆除去した裸ファイバを切断する処理であることを特徴とする光ファイバ前処理器である。
【００２０】
本発明の、光ファイバ前処理方法の１つの態様は、２個の光ファイバ固定治具にそれぞれ１本づつ挟まれて固定されている２本の光ファイバ心線を互いに平行とし、かつ、２本の前記光ファイバ心線の間の距離が最小となるように２個の光ファイバ固定治具を固定し、２本の光ファイバ心線の被覆を除去する処理または裸ファイバを切断する処理を、同時に実行する光ファイバ前処理方法である。
【００２１】
【発明の実施の形態】
この発明の一実施態様を、図面を参照しながら説明する。なお、以下に説明する実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００２２】
図１は、本発明の光ファイバ前処理器における２個の光ファイバホルダの配置を示す図である。図１（ａ）は光ファイバ心線の断面方向から見た光ファイバホルダの配置を示す平面図であり、図１（ｂ）は、図１（ａ）をｘ軸方向から見た側面図であり、図１（ｃ）は、図１（ａ）をｙ軸方向から見た平面図である。
【００２３】
光ファイバホルダ１１（図中の１１ａおよび１１ｂ）は、蓋１５（図中の１５ａおよび１５ｂ）をすることにより、光ファイバ心線１３（図中の１３ａおよび１３ｂ）を挟んで固定する。ここで、光ファイバ心線先端部１４（図中の１４ａおよび１４ｂ）を出すようにする。また、光ファイバ心線１３ａと光ファイバ心線１３ｂは、光ファイバ心線の素線の数が１本である単心光ファイバである。また、光ファイバホルダ１１は、おおむね直方体の形状をしている。
【００２４】
２個の光ファイバホルダ１１ａおよび光ファイバホルダ１１ｂは、光ファイバ心線１３ａと光ファイバ心線１３ｂとの間の距離が最小となるように配置される。通常、光ファイバホルダ１１のｚ軸方向が最長で、ｙ軸方向が中間の長さで、ｘ軸方向が厚み方向であって最も短い。そこで、図１に示すように、光ファイバホルダ１１の平行な最小面であるｘｙ面の中央を突き抜けるように光ファイバ心線１３が挟まれている場合、２個の光ファイバホルダ１１の最大面であるｙｚ面が向き合うように、２個の光ファイバホルダ１１を固定する。更に、光ファイバ心線１３がｘｙ面の中央より蓋１５側に近い場合は、２個の光ファイバホルダ１１の最大面であるｙｚ面の蓋１５側の面が向き合うように、２個の光ファイバホルダ１１を固定する。この場合、光ファイバ心線の間の距離が小さいことから、２個の光ファイバホルダを備えた光ファイバ前処理器の所要部材１２、例えば、光ファイバストリッパの被覆除去刃、光ファイバカッタの光ファイバ押さえ部材等のｘ軸方向の大きさと、多心光ファイバの光ファイバ心線を挟んだ１個の光ファイバホルダを備えた光ファイバ前処理器の所要部材のｘ軸方向の大きさとを比較すると、ほぼ同じ大きさである。
【００２５】
図２は、２個の光ファイバホルダの配置の一例を示す平面図である。
図に示すように、２個の光ファイバホルダ１１ａと光ファイバホルダ１１ｂとの間の距離Ｌは、例えば５ｍｍとし、光ファイバ心線１３ａと光ファイバ心線１３ｂとの間の距離Ｍは、例えば１０．６ｍｍとする。ここで、光ファイバ心線１３ａおよび光ファイバ心線１３ｂは単心光ファイバである。一方、現在利用されている２４心光ファイバのテープ幅は約６．３ｍｍであり、２４心光ファイバの光ファイバ前処理器の所要部材（光ファイバストリッパの被覆除去刃、光ファイバカッタの光ファイバ押さえ部材等）のｘ軸方向の大きさは、工具の余裕幅を含めておおよそ８ｍｍから１０ｍｍである。
従って、光ファイバ前処理器の所要部材のｘ軸方向の大きさをほぼ変えることなく２個の光ファイバホルダを配置した光ファイバ前処理器を実現することが可能である。
【００２６】
図３は、２個の光ファイバホルダを固定する固定治具固定部を備えた光ファイバストリッパの一例を示す平面図である。ここで、固定治具固定部をホルダ固定部と呼ぶ。
【００２７】
図に示すように、光ファイバストリッパ３０は、光ファイバホルダ３２ａおよび光ファイバホルダ３２ｂを固定するホルダ固定部３１を備えている。光ファイバ心線３３ａは光ファイバホルダ３２ａに挟まれ、光ファイバ心線３３ｂは光ファイバホルダ３２ｂに挟まれている。
【００２８】
また、ホルダ固定部３１には溝があり、光ファイバ心線３３ａと光ファイバ心線３３ｂとの間の距離が最小となるように光ファイバホルダ３２ａおよび光ファイバホルダ３２ｂを配置して固定できるようになっている。即ち、光ファイバホルダ３２ａおよび光ファイバホルダ３２ｂのベース３８は一般的に厚く、蓋３９の厚みは薄いために、光ファイバホルダ３２ａおよび光ファイバホルダ３２ｂの蓋を対向させることにより、光ファイバ心線３３ａと光ファイバ心線３３ｂとの間の距離を最小にできる。
【００２９】
また、光ファイバストリッパ３０は、光ファイバ心線３３ａおよび光ファイバ心線３３ｂの被覆を除去するための被覆除去刃３４、並びに、光ファイバ心線３３ａおよび光ファイバ心線３３ｂを暖めるためのヒーター３５を備えている。ここで、被覆除去刃３４は、光ファイバ心線３３ａおよび光ファイバ心線３３ｂの被覆に同時に傷を入れられる巾である。
【００３０】
まず、光ファイバ心線３３ａおよび光ファイバ心線３３ｂをそれぞれ光ファイバホルダ３２ａおよび光ファイバホルダ３２ｂに挟み、固定する。このとき、光ファイバ心線の被覆を除去するための光ファイバ先端部３６ａおよび光ファイバ先端部３６ｂが、それぞれ光ファイバホルダ３２ａおよび光ファイバホルダ３２ｂから出るようにして、光ファイバ心線３３ａおよび光ファイバ心線３３ｂをベース３８と蓋３９の間に挟み、固定する。
【００３１】
次に、光ファイバホルダ３２ａおよび光ファイバホルダ３２ｂをホルダ固定部３１に、光ファイバホルダ３２ａおよび光ファイバホルダ３２ｂの蓋を対向させるように固定する。被覆されている光ファイバ先端部３６ａおよび光ファイバ先端部３６ｂは、ヒーター３５の上に置かれ、光ファイバ先端部３６ａおよび光ファイバ先端部３６ｂの被覆が温められる。光ファイバストリッパ３０の図示されていない蓋を閉めることにより、被覆除去刃３４が被覆を挟み、被覆に傷を入れる。次に、ホルダ固定部３１を被覆除去刃３４から離れるように矢印３７の方向へ引くことにより、光ファイバ心線３３ａおよび光ファイバ心線３３ｂの被覆を除去する。
【００３２】
また、光ファイバストリッパは、上述したホルダ固定部３１と、現在利用されている光ファイバホルダを１個のみ固定する別のホルダ固定部とを取り替えることを可能とすることにより、ホルダ固定部３１を使用して２本の単心光ファイバの被覆を除去することも、現在利用されている別のホルダ固定部を使用して１本の多心光ファイバ、例えば、１２心光ファイバ、２４心光ファイバ等の被覆を除去することも可能である。
【００３３】
図４は、２個の光ファイバホルダを固定する固定治具固定部を備えた光ファイバカッタの一例を示す平面図である。
図に示すように、光ファイバカッタ４０は、光ファイバホルダ４２ａおよび光ファイバホルダ４２ｂを固定するホルダ固定部４１を備えている。光ファイバ心線４３ａは光ファイバホルダ４２ａに挟まれ、光ファイバ心線４３ｂは光ファイバホルダ４２ｂに挟まれている。
【００３４】
また、ホルダ固定部４１には溝があり、光ファイバ心線４３ａと光ファイバ心線４３ｂとの間の距離が最小となるように光ファイバホルダ４２ａおよび光ファイバホルダ４２ｂを配置して固定できるようになっている。即ち、光ファイバホルダ４２ａおよび光ファイバホルダ４２ｂのベース４８は一般的に厚く、蓋４９の厚みは薄いために、光ファイバホルダ４２ａおよび光ファイバホルダ４２ｂの蓋を対向させることにより、光ファイバ心線４３ａと光ファイバ心線４３ｂとの間の距離を最小にできる。
【００３５】
また、光ファイバカッタ４０は、光ファイバストリッパにより被覆除去された光ファイバ心線４３ａの被覆除去部（裸ファイバ部）４４ａおよび光ファイバ心線４３ｂの被覆除去部（裸ファイバ部）４４ｂを押さえる押さえ部材４５ａおよび押さえ部材４５ｂを備えている。
【００３６】
まず、光ファイバ心線４３ａおよび光ファイバ心線４３ｂをそれぞれ光ファイバホルダ４２ａおよび光ファイバホルダ４２ｂに挟み、固定する。更に、光ファイバホルダ４２ａおよび光ファイバホルダ４２ｂをホルダ固定部４１に固定する。裸ファイバ部４４ａおよび裸ファイバ部４４ｂは、光ファイバカッタ４０の図示されていない蓋を閉めることにより、この蓋と押さえ部材４５ａおよび押さえ部材４５ｂの間で把持され、固定される。ここで、押さえ部材４５ａは、裸ファイバ部４４ａおよび裸ファイバ部４４ｂを同時に押さえられる巾であり、押さえ部材４５ｂも、裸ファイバ部４４ａおよび裸ファイバ部４４ｂを同時に押さえられる巾である。
【００３７】
次に、裸ファイバ部４４ａおよび裸ファイバ部４４ｂを横断するように、矢印４７の方向へ刃４６をスライドさせ、裸ファイバ部４４ａおよび裸ファイバ部４４ｂの下側に一定量の傷を付ける。次に、裸ファイバ部４４ａおよび裸ファイバ部４４ｂの上側の前記傷に対応する部分にそれぞれ荷重を加えて傷の部分を破断し、裸ファイバ部４４ａおよび裸ファイバ部４４ｂを切断する。ここで、荷重を加える方向は、裸ファイバ部４４ａおよび裸ファイバ部４４ｂより押さえ部材４５ａおよび押さえ部材４５ｂへ向かう方向、即ち、図面の表面より裏面へ向かう方向である。
【００３８】
また、光ファイバカッタは、上述したホルダ固定部４１と、現在利用されている光ファイバホルダを１個のみ固定する別のホルダ固定部とを取り替えることを可能とすることにより、ホルダ固定部４１を使用して２本の単心光ファイバを切断することも、現在利用されている別のホルダ固定部を使用して１本の多心光ファイバ、例えば、１２心光ファイバ、２４心光ファイバ等を切断することも可能である。
【００３９】
【発明の効果】
以上説明した本発明によれば、以下の効果を奏する。
２個の光ファイバホルダに、従来それぞれ１本づつ挟まれて固定されている２本の光ファイバ心線の間の距離が最小となるように、２個の光ファイバホルダを固定する固定治具固定部を光ファイバ前処理器に備えることにより、光ファイバ前処理器の所要部材をほぼ同じ大きさで、同時に２本の光ファイバ心線を処理することができる。
【００４０】
例えば、直方体に近い形状である光ファイバホルダの平行な最小面の中央を突き抜けるように光ファイバ心線が挟まれている場合、２個の光ファイバホルダの最大面が向き合うように、２個の光ファイバホルダを固定する固定治具固定部を光ファイバ前処理器に備えることにより、光ファイバ前処理器の所要部材をほぼ同じ大きさで、同時に２本の光ファイバ心線を処理することができる。
【００４１】
また、２本の光ファイバ心線の間の距離を小さくすることにより、光ファイバ前処理器の所要部材の大きさをわずかに大きくするかまたは同じ大きさでよいことから、製造コストの増加を押さえることもできる。また、光ファイバ前処理器の所要部材の大きさに関わる機能的な問題もない光ファイバ前処理器を製造することが可能である。また、２個の光ファイバホルダを固定する固定治具固定部を光ファイバ前処理器により、１回の光ファイバ前処理作業によって２本の光ファイバ心線を処理することできる。
【図面の簡単な説明】
【図１】（ａ）は、光ファイバ心線の断面方向から見た光ファイバホルダの配置を示す平面図であり、（ｂ）は、（ａ）をｘ軸方向から見た側面図であり、　（ｃ）は、（ａ）をｙ軸方向から見た平面図である。
【図２】２個の光ファイバホルダの配置の一例を示す平面図である。
【図３】２個の光ファイバホルダを固定する固定治具固定部を備えた光ファイバストリッパの一例を示す平面図である。
【図４】２個の光ファイバホルダを固定する固定治具固定部を備えた光ファイバカッタの一例を示す平面図である。
【図５】市販されている光ファイバストリッパの一例を示す平面図である。
【図６】市販されている光ファイバカッタの一例を示す平面図である。
【図７】光ファイバ前処理器の所要部材の大きさを示す平面図である。
【符号の説明】
１１、１１ａ、１１ｂ　　　光ファイバホルダ
１２　　　光ファイバ前処理器の所要部材
１３、１３ａ、１３ｂ　　　光ファイバ心線
１４、１４ａ、１４ｂ　　　光ファイバ先端部
１５、１５ａ、１５ｂ　　　蓋
３０　　　光ファイバストリッパ３
３１　　　第１ホルダ固定部
３２ａ、３２ｂ　　　光ファイバホルダ
３３ａ、３３ｂ　　　光ファイバ心線
３４　　　被覆除去刃
３５　　　ヒーター
３６ａ、３６ｂ　　　光ファイバ先端部
４０　　　光ファイバスカッタ
４１　　　第１ホルダ固定部
４２ａ、４２ｂ　　　光ファイバホルダ
４３ａ、４３ｂ　　　光ファイバ心線
４４ａ、４４ｂ　　　裸ファイバ部
４５ａ、４５ｂ　　　押さえ部材
４６　　　刃
【図１】
2004021048.tif 000003
【図２】
2004021048.tif 000004
【図３】
2004021048.tif 000005
【図４】
2004021048.tif 000006
【図５】
2004021048.tif 000007
【図６】
2004021048.tif 000008
【図７】
2004021048.tif 000009